(57)【特許請求の範囲】
【請求項１】
電子機器の内部にスピーカを該電子機器のカバー部材のスピーカ対向部に向けて固定する構造において、
上記スピーカがスピーカホルダの内部に組み込んであり、
該スピーカホルダが上記電子機器の内部の部材に取り付けてあり、
該スピーカホルダは、上記カバー部材のスピーカ対向部の内面側と同じ方向に迫り出して形成されたオーバハング部を有し、
該スピーカホルダは、上記オーバハング部を弾性変形されて上記電子機器のカバー部材のスピーカ対向部の内面側と当接している構成としたことを特徴とする電子機器のスピーカ固定構造。
【請求項２】
請求項１に記載の電子機器のスピーカ固定構造において、
上記オーバハング部は、蛇腹部であり、
この蛇腹部が縮むように上記弾性変形される構成であることを特徴とする電子機器のスピーカ固定構造。
【請求項３】
請求項１に記載の電子機器のスピーカ固定構造において、
上記電子機器は、キーボード部を有し、且つ該キーボード部を覆うキーボードカバー部材を備え、且つ、該キーボードカバー部材が上記スピーカ対向部を有する情報処理装置であり、
上記スピーカホルダは、上記オーバハング部を弾性変形されて上記情報処理装置のキーボードカバー部材のスピーカ対向部の内面側と当接している構成としたことを特徴とする電子機器のスピーカ固定構造。
【請求項４】
カバー部材のスピーカ対向部に向けてスピーカを固定した電子機器において、
上記スピーカがスピーカホルダの内部に組み込んであり、
該スピーカホルダが上記電子機器の内部の部材に取り付けてあり、
該スピーカホルダは、上記カバー部材のスピーカ対向部の内面側と同じ方向に迫り出して形成されたオーバハング部を有し、
該スピーカホルダは、上記オーバハング部を弾性変形されて上記カバー部材のスピーカ対向部の内面側と当接している構成としたことを特徴とする電子機器。
【請求項５】
請求項４に記載の電子機器において、
上記オーバハング部は、蛇腹部であり、
この蛇腹部が縮むように上記弾性変形される構成であることを特徴とする電子機器。
【請求項６】
請求項４に記載の電子機器において、
キーボード部を有し、且つ該キーボード部を覆うキーボードカバー部材を備え、且つ、該キーボードカバー部材が上記スピーカ対向部を有し、
上記スピーカホルダは、上記オーバハング部を弾性変形されて上記キーボードカバー部材のスピーカ対向部の内面側と当接している構成としたことを特徴とする電子機器。
【発明の詳細な説明】
【０００１】
【発明の属する技術分野】
本発明は電子機器のスピーカ固定構造及び電子機器に係り、特に携帯可能な情報処理装置のキーボード部の内部にスピーカをカバー部材の音放射用小開口群部分に向けて固定する構造及び電子機器に関する。
【０００２】
【従来の技術】
図１は従来の１例の情報処理装置のスピーカ固定構造を示す。情報処理装置１０は、本体１１と液晶表示部１２とよりなる。本体１１は、基台部１３にプリント基板１４及びキーボード部１５が固定してあり、この基台部１３の上側が、キーボード部１５が露出するようにカバー部材１６で覆われた構造である。スピーカ１７は、カバー部材１６の音放射用小開口群部分１８の内側面にねじ１９によって取り付けある。スピーカ１７より延びているコード２１が、プリント基板１４上のコネクタ２２と接続されている。
【０００３】
図２は従来の別の例の情報処理装置のスピーカ固定構造を示す。情報処理装置１０Ａは、本体１１Ａと液晶表示部１２Ａとよりなる。本体１１Ａは、基台部１３Ａにプリント基板１４Ａ及びキーボード部１５Ａが固定してあり、この基台部１３Ａの上側が、キーボード部１５Ａが露出するようにカバー部材１６Ａで覆われた構造である。スピーカ１７Ａは、基台部１３Ａのリブ１３Ａａの上端に取り付けてあり、スピーカ１７Ａより延びているコード２１Ａが、プリント基板１４Ａ上のコネクタ２２Ａと接続されている。
【０００４】
カバー部材１６Ａには、音放射用小開口群部分１８Ａが形成してあり、カバー部材１６Ａの下面のうち音放射用小開口群部分１８Ａの周囲の部分に環状のゴム部材２５が接着してある。
カバー部材１６Ａが基台部１３Ａに取り付けられている状態で、音放射用小開口群部分１８Ａがスピーカ１７Ａに対向し、環状のゴム部材２５がスピーカ１７Ａの上面に当接している。
【０００５】
【発明が解決しようとする課題】
図１のスピーカ固定構造は、スピーカ１７がカバー部材１６に取り付けある構成であるため、カバー部材１６を取り付ける作業をするときに、コード２１をプリント基板１４上のコネクタ２２と接続させる作業を行う必要があり、情報処理装置１０を組み立てる作業が面倒となってしまう。
【０００６】
図２のスピーカ固定構造は、スピーカ１７Ａが基台部１３Ａに取り付けてあるため、カバー部材１６Ａを取り付ける作業を行うときに、コード２１Ａを接続する作業は必要でなく、よって、情報処理装置１０Ａを組み立てる作業は簡単となる。しかし、スピーカ１７Ａが基台部１３Ａに取り付けてあるため、スピーカ１７Ａの取り付け高さのばらつき、及び取り付けられたカバー部材１６Ａの高さのばらつきによっては、スピーカ１７Ａの上面と環状のゴム部材２５との間に、隙間ができ、この隙間から音が漏れだして（符号２６は隙間から外側に漏れだした音を示す）、スピーカ１７Ａの上面側の音の位相とスピーカ１７Ａの下面側の音の位相とが干渉して、音放射用小開口群部分１８Ａから上方に放射される音は、低中音域のレベルが低下したものとなって音響特性がよくなかった。
【０００７】
そこで、本発明は上記課題を解決した電子機器のスピーカ固定構造及び電子機器を提供することを目的とする。
【０００８】
【課題を解決するための手段】
請求項１の発明は、電子機器の内部にスピーカを該電子機器のカバー部材のスピーカ対向部に向けて固定する構造において、
上記スピーカがスピーカホルダの内部に組み込んであり、
該スピーカホルダが上記電子機器の内部の部材に取り付けてあり、
該スピーカホルダは、上記カバー部材のスピーカ対向部の内面側と同じ方向に迫り出して形成されたオーバハング部を有し、
該スピーカホルダは、上記オーバハング部を弾性変形されて上記電子機器のカバー部材のスピーカ対向部の内面側と当接している構成としたものである。
【０００９】
スピーカホルダのオーバハング部が弾性変形して、カバー部材の取り付け位置のばらつきを吸収して、カバー部材の取り付け位置のばらつき等の電子機器の組み立て誤差を考慮しても、カバー部材のスピーカ対向部の内面側とスピーカホルダとの間が密着するようになる。これによって、干渉が起きずに良好な音響特性を発揮することができるスピーカ固定構造を実現することが可能となる。
【００１０】
また、スピーカホルダのオーバハング部がカバー部材の取り付けのときに適宜変形することによって、カバー部材の取り付けが支障無く行なわれる。また、オーバハング部が弾性変形することによって、変形可能な構造部分をスピーカホルダのスピーカを組み込む部分に影響を及ぼしにくい状態で実現することが出来る。
請求項２の発明は、請求項１に記載の電子機器のスピーカ固定構造において、
上記オーバハング部は、蛇腹部であり、
この蛇腹部が縮むように上記弾性変形される構成としたものである。
蛇腹部は変形量が大きくなり、よって、電子機器の組み立て誤差が大きい場合にも対応可能である。
請求項３の発明は、請求項１に記載の電子機器のスピーカ固定構造において、
上記電子機器は、キーボード部を有し、且つ該キーボード部を覆うキーボードカバー部材を備え、且つ、該キーボードカバー部材が上記スピーカ対向部を有する情報処理装置であり、
上記スピーカホルダは、上記オーバハング部を弾性変形されて上記情報処理装置のキーボードカバー部材のスピーカ対向部の内面側と当接している構成としたものである。
キーボード部を有する情報処理装置であり、スピーカがキーボード部のキーボードカバー部材の裏側に対向する構造において、キーボード部の組み立て誤差を考慮しても、干渉が起きずに良好な音響特性を発揮することができるスピーカ固定構造を実現可能となる。
請求項４の発明は、カバー部材のスピーカ対向部に向けてスピーカを固定した電子機器において、
上記スピーカがスピーカホルダの内部に組み込んであり、
該スピーカホルダが上記電子機器の内部の部材に取り付けてあり、
該スピーカホルダは、上記カバー部材のスピーカ対向部の内面側と同じ方向に迫り出して形成されたオーバハング部を有し、
該スピーカホルダは、上記オーバハング部を弾性変形されて上記カバー部材のスピーカ対向部の内面側と当接している構成としたものである。
スピーカホルダのオーバハング部が弾性変形して、カバー部材の取り付け位置のばらつきを吸収して、カバー部材の取り付け位置のばらつき等の電子機器の組み立て誤差を考慮しても、カバー部材のスピーカ対向部の内面側とスピーカホルダとの間が密着するようになる。これによって、干渉が起きずに良好な音響特性を発揮することができるスピーカ固定構造を実現することが可能となる。また、スピーカホルダのオーバハング部がカバー部材の取り付けのときに適宜変形することによって、カバー部材の取り付けが支障無く行なわれる。また、オーバハング部が弾性変形することによって、変形可能な構造部分をスピーカホルダのスピーカを組み込む部分に影響を及ぼしにくい状態で実現することが出来る。
請求項５の発明は、請求項４に記載の電子機器において、
上記オーバハング部は、蛇腹部であり、
この蛇腹部が縮むように上記弾性変形される構成としたものである。
蛇腹部は変形量が大きくなり、よって、電子機器の組み立て誤差が大きい場合にも対応可能である。
請求項６の発明は、請求項４に記載の電子機器において、
キーボード部を有し、且つ該キーボード部を覆うキーボードカバー部材を備え、且つ、該キーボードカバー部材が上記スピーカ対向部を有し、
上記スピーカホルダは、上記オーバハング部を弾性変形されて上記キーボードカバー部材のスピーカ対向部の内面側と当接している構成としたものである。
キーボード部を有する電子機器であり、スピーカがキーボード部のキーボードカバー部材の裏側に対向する構造の電子機器において、キーボード部の組み立て誤差を考慮しても、干渉が起きずに良好な音響特性を発揮することができるスピーカ固定構造を備えた電子機器を実現可能となる。
【００１３】
【発明の実施の形態】
図３及び図４は本発明の一実施例になるスピーカ固定構造が適用してある情報処理装置３０を示す。情報処理装置３０は、本体３１と、本体３１に対して起き上がり可能である液晶表示部３２とよりなる。Ｘ１，Ｘ２は情報処理装置３０の奥行き方向、Ｙ１，Ｙ２は幅方向、Ｚ１，Ｚ２は高さ方向である。本体３１は、Ｘ２方向側である前側にキーボード部３３、Ｘ１方向側である後ろ側にプリンタ部３４が配されている。
【００１４】
本体３１のハウジング３５は、キーボード部３３とプリンタ部３４とを併せたサイズの底カバー３６と、プリンタ部３４に対応する開閉可能なカバー３７と、キーボード部３３に対応するキーボードカバー部材３８とよりなる。液晶表示部３２を支持する液晶表示支持部分３９は底カバー３５の略中央の部位に形成してある。
【００１５】
キーボード部３３は、図５に併せて示す構造を有する。底カバー３５上に、制御プリント板４０が取り付けてある。４１はキーボード固定金具であり、一端を底カバー３６の上端にねじ止めされ、他端を制御プリント板４０上にねじ止めされて斜めの姿勢で取り付けてある。キーボード４２は、Ｘ１方向側寄りの部分をキーボード固定金具４１に固定され、Ｘ２方向側寄りの部分を底カバー３６に固定されて取り付けてある。キーボードカバー部材３８は、Ｘ１方向端側を、底カバー３５の液晶表示部支持部分３９の近くの部位に掛けられて、Ｘ２方向端側を底カバー３５に固定されて取り付けてある。キー４３がキーボードカバー部材３８の開口３８ｇから突き出ている。
【００１６】
このキーボードカバー部材３８は、図５中、二点鎖線で示すように斜めの姿勢で、Ｘ１方向端側を底カバー３５の液晶表示部支持部分３９の近くの部位に掛け、掛けた部位を中心に矢印Ａで示すように回動させて取り付けられる。
次に、スピーカ固定構造について説明する。
スピーカ固定構造５０は、図６及び図７に示すように、スピーカ５１がゴム製のスピーカホルダ５２内に組み込まれており、このスピーカホルダ５２がキーボード固定金具４１に取り付けてあり、スピーカホルダ５２の上面側がキーボードカバー部材３８のうちのスピーカ対向部３８ａによって覆われている構成である。このスピーカ固定構造５０は、キーボードカバー部材３８を取り付けるときの動きを考慮した構造となっている。
【００１７】
図９（Ａ），（Ｂ）及び図１０（Ａ）乃至（Ｆ）はスピーカホルダ５２を示す。図９（Ｂ）はスピーカホルダ５２を上下反転して示す。図１０（Ｄ）は図１０（Ｃ）中、Ｄ−Ｄ線に沿う断面であり、図１０（Ｅ）は図１０（Ｃ）中、Ｅ−Ｅ線に沿う断面である。スピーカホルダ５２は、図９（Ａ），（Ｂ）及び図１０（Ａ）乃至（Ｆ）に示すように、本体５２ａと、この本体５２ａのＹ１，Ｙ２側よりＺ２方向に延びているフック部５２ｂ，５２ｃと、この本体５２ａよりＸ１方向に延びている腕部５２ｄとよりなる。本体５２ａは、略立方体形状であり、中央に貫通した開口５２ｅを有し、上端側に開口５２ｅ内に迫り出したフランジ５２ｆを有し、この開口５２ｅの内面に、フランジ５２ｆに対向して、３つの爪部５２ｇ１，５２ｇ２，５２ｇ３が等角度間隔で突き出ている構成である。フック部５２ｃには電線を通すためのスリット５２ｃ１が形成してある。
【００１８】
５２ｈは本発明の要部をなすテラス状のオーバハング部であり、本体５２ａのＸ１方向の側面とＹ１，Ｙ２方向の側面のうちのＸ１方向側の半分の部分とにわたって形成してあり、本体５２ａの側面より切り込んで形成されている溝５２ｉによって相対的に開口５２ｅ側からＸ１方向及びＹ１，Ｙ２方向に迫り出したオーバハング状とされている。
【００１９】
このオーバハング部５２ｈはＺ２方向の力Ｆを作用されたときに、図１０（Ｅ）中、二点鎖線で示すように弾性的に撓むことが可能である。オーバハング部５２ｈが特許請求の範囲記載の変形可能構造部を構成する。
５２ｊはスピーカ組み込み部であり、開口５２ｅの内面のうち、フランジ５２ｆと３つの爪部５２ｇ１，５２ｇ２，５２ｇ３との間の偏平な空間である。
【００２０】
上記のスピーカホルダ５２は、材質がゴム製であることによってＺ１，Ｚ２方向に圧縮されるように弾性変形可能であり、且つ、オーバハング部５２ｈが存在することによって、上記の弾性変形量が大きくなっている。
スピーカ５１は偏平な円盤形状であり、図７に示すように、３つの爪部５２ｇ１，５２ｇ２，５２ｇ３に係止されて、上記開口５２ｅ内のうちフランジ５２ｆの直ぐ下側の部分のスピーカ組み込み部５２ｊ内に組み込まれている。
【００２１】
スピーカホルダ５２は、フック部５２ｂ，５２ｃがキーボード固定金具４１を跨いで且つこの両側から抱くように係止し、腕部５２ｄをねじ５４によってキーボード固定金具４１に固定され、本体５２ａがキーボード固定金具４１上に取り付けてある。
スピーカ５１より延びている電線５３は、フック部５２ｃのスリット５２ｃ１を通ってスピーカホルダ５２の外に延びており、制御プリント板４０と接続されている。
【００２２】
キーボードカバー部材３８には、図３及び図４に示すように、Ｘ１方向端であって幅方向上中央の部位にスピーカ対向部３８ａが形成してある。このスピーカ対向部３８ａは、音放射用小開口３８ｂが多数形成されている。スピーカ対向部３８ａの部分のキーボードカバー部材３８の裏面には、このスピーカ対向部３８ａを囲むように略正方形にリブ３８ｃ，３８ｄ，３８ｅ，３８ｆが形成してある。リブ３８ｃ〜３８ｆが形成する正方形は、スピーカホルダ５２のサイズに対応したサイズである。リブ３８ｃ〜３８ｆとスピーカ対向部３８ａとに囲まれた部分は、凹状とされている。
【００２３】
キーボードカバー部材３８が取り付けられた状態では、図６に示すように、リブ３８ｃ〜３８ｆの先端縁がスピーカホルダ５２の本体５２ａの正方形状の上面５２ａ１の周囲に沿う部分に押し当たっており、スピーカ５１の上側には、リブ３８ｃ〜３８ｆによって取り囲まれている空間５５が形成されている。
ここで、キーボードカバー部材３８を取り付けるときのスピーカホルダ５２の弾性変形について説明する。キーボードカバー部材３８は、図５中、二点鎖線で示すように斜めの姿勢で、Ｘ１方向端側を底カバー３５の液晶表示部支持部分３９の近くの部位に掛け、掛けた部位を中心に矢印Ａで示すように回動させて取り付けられる。キーボードカバー部材３８を図５中二点鎖線で示すように斜めの姿勢とした状態で、スピーカ対向部３８ａはスピーカホルダ５２に対して図１１に示す状態となり、リブ３８ｃがオーバハング部５２ｈに当たってＺ２方向に押す。オーバハング部５２ｈはＺ２方向に弾性的に撓まされる。
【００２４】
キーボードカバー部材３８が矢印Ａで示すように回動させられると、リブ３８ｃはＺ１方向に少し変位し、リブ３８ｄ，３８ｅ，３８ｆがＺ２方向に変位して本体５２ａの上面５２ａ１に当接する。
オーバハング部５２ｈはリブ３８ｃはＺ１方向の変位に追従してＺ１方向に弾性的に復元する方向に変形し、キーボードカバー部材３８が取り付けられた図６の状態では、オーバハング部５２ｈはこれに残っている弾性力によってリブ３８ｃに押し当たっている。
【００２５】
また、図６の状態では、本体５２ａが僅かに弾性圧縮変形されており、本体５２ａの上面５２ａ１はリブ３８ｄ，３８ｅ，３８ｆに押し当たっている。
よって、キーボードカバー部材３８が所定の高さ位置である場合及び所定の高さ位置よりＺ２に方向に若干ずれている場合は勿論、キーボードカバー部材３８の取り付けられている高さ位置が所定の高さ位置よりＺ１方向に若干ずれていた場合にも、リブ３８ｃ〜３８ｆの下端縁と本体５２ａの上面５２ａ１とは密着状態とされる。よって、キーボードカバー部材３８の取り付け高さ位置のばらつきに影響されずに、常に、リブ３８ｃ〜３８ｆの下端縁と本体５２ａの上面５２ａ１とは密着状態とされる。よって、リブ３８ｃ〜３８ｆの下端縁と本体５２ａの上面５２ａ１との間からの音の漏れ出しは起きず、よって、スピーカ３７の上面側の音の位相とスピーカ３７の下面側の音の位相とが干渉するということが起きない。スピーカ３７から出て、スピーカ対向部３８ａの音放射用小開口群部分４１から上方に放射される音は、低中音域のレベルが低下していない良好な音響特性を有する。
【００２６】
このため、スピーカ固定構造５０は、情報処理装置３０の組み立て誤差を考慮した場合にも、常に良好な音響特性を発揮することが可能である構造を有する。
なお、オーバハング部５２ｈを本体５２ａの全周に亘って形成してもよい。
次にスピーカ固定構造の別の実施例について説明する。
図１２は本発明の別の実施例のスピーカ固定構造５０Ａを示す。このスピーカ固定構造５０Ａは、図１３に示すスピーカホルダ５２Ａを使用した構造である。図１２中、図６に示す構成部分と同じ構成部分には同じ符号を付し、図６に示す構成部分と対応する部分には添字Ａを付した同じ符号を付す。
【００２７】
スピーカホルダ５２Ａは、特許請求の範囲記載の変形可能構造部として、蛇腹部５２Ａｋを有する構成である。蛇腹部５２Ａｋは、本体５２Ａａの上端側の部分に形成してあり、Ｚ２方向につぶされて縮むように弾性変形可能である。
キーボードカバー部材３８が取り付けられている図１２の状態では、蛇腹部５２Ａｋが少し弾性圧縮変形されており、リブ３８ｃ〜３８ｆの下端縁と本体５２Ａａの上面５２Ａａ１とは密着状態とされる。よって、キーボードカバー部材３８の取り付け高さ位置のばらつきに影響されずに、常に、リブ３８ｃ〜３８ｆの下端縁と本体５２Ａａの上面５２Ａａ１とは密着状態とされる。よって、リブ３８ｃ〜３８ｆの下端縁と本体５２Ａａの上面５２Ａａ１との間からの音の漏れ出しは起きず、よって、スピーカ３７の上面側の音の位相とスピーカ３７の下面側の音の位相とが干渉するということは起きない。スピーカ３７から出て、スピーカ対向部３８ａの音放射用小開口群部分４１から上方に放射される音は、低中音域のレベルが低下していない良好な音響特性を有する。
【００２８】
このため、スピーカ固定構造５０Ａは、情報処理装置の組み立て誤差を考慮した場合にも、常に良好な音響特性を発揮することが可能である構造を有する。
【００２９】
【発明の効果】
以上説明したように、請求項１の発明によれば、電子機器の内部にスピーカを該電子機器のカバー部材のスピーカ対向部に向けて固定する構造において、上記スピーカがスピーカホルダの内部に組み込んであり、該スピーカホルダが上記電子機器の内部の部材に取り付けてあり、該スピーカホルダは、上記カバー部材のスピーカ対向部の内面側と同じ方向に迫り出して形成されたオーバハング部を有し、該スピーカホルダは、上記オーバハング部を弾性変形されて上記電子機器のカバー部材のスピーカ対向部の内面側と当接している構成としたものであるため、スピーカホルダのオーバハング部が弾性変形して、カバー部材の取り付け位置のばらつきを吸収して、カバー部材の取り付け位置のばらつき等の電子機器の組み立て誤差を考慮しても、カバー部材のスピーカ対向部の内面側とスピーカホルダとの間が密着するように出来、よって、カバー部材の取り付け位置のばらつき等の電子機器の組み立て誤差を考慮しても、スピーカの前方に出る音と後方に出る音と干渉するということが起きずに良好な音響特性を発揮することができるスピーカ固定構造を実現出来る。
【００３０】
また、カバー部材の取り付けのときにスピーカホルダのオーバハング部が変形することによって、カバー部材の取り付けを支障無く行うことが出来る。また、オーバハング部が変形するようにすることによって、変形可能な部分をスピーカホルダのスピーカを組み込む部分に影響を及ぼしにくい状態で実現することが出来る。
また、スピーカが内部に組み込んであるスピーカホルダが電子機器の内部の部材に取り付けてあり、カバー部材はスピーカを覆うように取り付けある構成であるため、スピーカをカバー部材の裏面に直接取り付ける構造に比べて、電子機器の組み立てを簡単に行うことが出来る。
【００３１】
請求項２の発明は、オーバハング部が蛇腹部である構成であるため、オーバハング部の変形量を大きく出来、よって、電子機器の組み立て誤差が大きい場合にも対応可能である。
【００３２】
請求項３の発明は、電子機器はキーボード部を有する情報処理装置であり、スピーカホルダは、そのオーバハング部を変形されて上記情報処理装置のキーボード部のカバー部材のスピーカ対向部の内面側と当接している構成であるため、キーボード部を有する情報処理装置であり、スピーカがキーボード部のキーボードカバー部材の裏側に対向する構造において、キーボード部の組み立て誤差を考慮しても、干渉が起きずに良好な音響特性を発揮することができるスピーカ固定構造を実現出来る。
請求項４の発明は、カバー部材のスピーカ対向部に向けてスピーカを固定した電子機器において、上記スピーカがスピーカホルダの内部に組み込んであり、該スピーカホルダが上記電子機器の内部の部材に取り付けてあり、該スピーカホルダは、上記カバー部材のスピーカ対向部の内面側と同じ方向に迫り出して形成されたオーバハング部を有し、該スピーカホルダは、上記オーバハング部を弾性変形されて上記カバー部材のスピーカ対向部の内面側と当接している構成としたものであるため、スピーカホルダのオーバハング部が弾性変形して、カバー部材の取り付け位置のばらつきを吸収して、カバー部材の取り付け位置のばらつき等の電子機器の組み立て誤差を考慮しても、カバー部材のスピーカ対向部の内面側とスピーカホルダとの間が密着するようになる。これによって、干渉が起きずに良好な音響特性を発揮することができるスピーカ固定構造を実現することが可能となる。また、スピーカホルダのオーバハング部がカバー部材の取り付けのときに適宜変形することによって、カバー部材の取り付けが支障無く行なわれる。また、オーバハング部が弾性変形することによって、変形可能な構造部分をスピーカホルダのスピーカを組み込む部分に影響を及ぼしにくい状態で実現することが出来る。
請求項５の発明は、請求項４に記載の電子機器において、上記オーバハング部は、蛇腹部であり、この蛇腹部が縮むように上記弾性変形される構成としたものであるため、蛇腹部は変形量が大きくなり、よって、電子機器の組み立て誤差が大きい場合にも対応可能に出来る。
請求項６の発明は、請求項４に記載の電子機器において、キーボード部を有し、且つ該キーボード部を覆うキーボードカバー部材を備え、且つ、該キーボードカバー部材が上記スピーカ対向部を有し、上記スピーカホルダは、上記オーバハング部を弾性変形されて上記キーボードカバー部材のスピーカ対向部の内面側と当接している構成としたものであるため、キーボード部を有する電子機器であり、スピーカがキーボード部のキーボードカバー部材の裏側に対向する構造の電子機器において、キーボード部の組み立て誤差を考慮しても、干渉が起きずに良好な音響特性を発揮することができるスピーカ固定構造を備えた電子機器を実現出来る。
【図面の簡単な説明】
【図１】従来の１例のスピーカ固定構造を示す図である。
【図２】従来の別の例のスピーカ固定構造を示す図である。
【図３】本発明の一実施例になるスピーカ固定構造が適用してある情報処理装置を示す図である。
【図４】図３の情報処理装置をキーボードカバー部材を取り外した状態で示す図である。
【図５】キーボード部の内部の構造を示す図である。
【図６】本発明の一実施例のスピーカ固定構造を示す図である。
【図７】図６のスピーカ固定構造を分解して示す図である。
【図８】キーボードカバー部材を取り外した状態のスピーカ固定構造を示す図である。
【図９】スピーカホルダを示す斜視図である。
【図１０】スピーカホルダを示す図である。
【図１１】キーボードカバー部材を取り付けるときのスピーカホルダの弾性変形を説明する図である。
【図１２】本発明の別の実施例のスピーカ固定構造を示す図である。
【図１３】図１２中のスピーカホルダを示す図である。
【符号の説明】
３０  情報処理装置
３３  キーボード部
３６  底カバー
３８    キーボードカバー部材
３８ａ  スピーカ対向部
３８ｂ  音放射用小開口
３８ｃ〜３８ｆ  リブ
４１  キーボード固定金具
５０、５０Ａ  スピーカ固定構造
５１  スピーカ
５２Ａ  スピーカホルダ
５２ｈ  オーバハング部
５２Ａｋ  蛇腹部
【図１】
0003655107.tif 000002
【図２】
0003655107.tif 000003
【図３】
0003655107.tif 000004
【図４】
0003655107.tif 000005
【図５】
0003655107.tif 000006
【図６】
0003655107.tif 000007
【図７】
0003655107.tif 000008
【図８】
0003655107.tif 000009
【図９】
0003655107.tif 000010
【図１０】
0003655107.tif 000011
【図１１】
0003655107.tif 000012
【図１２】
0003655107.tif 000013
【図１３】
0003655107.tif 000014